(57)【要約】【課題】中継器同士の連結を容易にし、取付工数、取付時間を減少させることができる中継器を提供する。【解決手段】中継器盤４０内に複数収められるケース本体３と、該ケース本体３に内装した基板２からなり、該基板２はリード線１２接続用の端子台１１を備えてなる中継器１において、上記基板２は結線部１３ａ、１３ｂと該結線部１３ａ、１３ｂに一端が直結されたリード線１２、１２を有し、該リード線１２の他端は他の中継器の端子台に接続される接続部１２ａを有し、該接続部１２ａには棒状の差込端子１２ｂを設けた。【選択図】  図１
2004252625.tif 000002
【特許請求の範囲】
【請求項１】
中継器盤内に複数収められるケース本体と、該ケース本体に内装した基板からなり、該基板はリード線接続用の端子台を備えてなる中継器において、
上記基板は他の中継器と直接信号を授受する信号連結部を有し、該信号連結部を他の中継器に接続してなることを特徴とする中継器。
【請求項２】
上記基板の信号連結部は基板上の結線部と該結線部に一端が直結されたリード線からなり、該リード線の他端は他の中継器の端子台に接続される接続部を有することを特徴とする請求項１記載の中継器。
【請求項３】
上記リード線の接続部に棒状の差込端子を設けたことを特徴とする請求項２記載の中継器。
【請求項４】
上記ケース本体は上記リード線の接続部を保持可能なリード線保持部を有することを特徴とする請求項２又は３記載の中継器。
【請求項５】
上記基板に設けた端子台の端子孔を外部に露出する端子開口部と上記リード線を外部に引出す線開口部を連通させて配置したことを特徴とする請求項２〜４のいずれか１項に記載の中継器。
【請求項６】
上記基板の信号連結部は基板の両面に設けられた連結コネクタからなり、上記ケース本体は上記連結コネクタを外部に露出させるコネクタ開口部を有し、該コネクタ開口部から露出した連結コネクタが他の中継器の連結コネクタに接続されることを特徴とする請求項１記載の中継器。
【請求項７】
上記基板には固有のアドレスを記憶するメモリ部を有し、上記信号連結部とアドレス設定器とを接続して信号の授受により信号連結部を介してメモリ部にアドレスを設定することを特徴とする請求項１〜６のいずれか１項に記載の中継器。
【発明の詳細な説明】
【０００１】
【発明の属する技術分野】
本発明は受信機と端末機器との間に設けられる中継器に関し、より詳細には中継器盤に複数個まとめて収納され相互に連結される中継器に関する。
【０００２】
【従来の技術】
例えば特許文献１に示すような火災報知設備や、その他防犯設備等では通常、端末機器と受信機との間に、相互間の信号のやりとりを中継する中継器が設置される。このような中継器１は通常、図６に示すような中継器盤４０に複数個まとめて収納される。ここで、隣接する中継器１、１同士は受信機から引出され各端末機器が渡り配線接続される信号線Ｓとコモン線ＳＣが連結され、信号を相互に授受している。従来、信号線Ｓを連結するには、図８に示すように、リード線６０を用意し、一端を一方の中継器１の端子台１１のＳ端子穴１１ａに挿入し、他端を他方の中継器１の端子台１１のＳ端子穴１１ａに挿入して渡り配線を行う。コモン線ＳＣの連結についても同様に、リード線６０を用意し、一端を一方の中継器１の端子台１１のＳＣ端子穴１１ｂに挿入し、他端を他方の中継器１の端子台１１のＳＣ端子穴１１ｂに挿入して渡り配線を行う。
【０００３】
【特許文献１】
特開平１０−１４３７７６（図１）
【０００４】
【発明が解決しようとする課題】
しかし、中継器盤４０に収納される中継器１の数は数十個にも及ぶ場合があり、それぞれの中継器１、１を、リード線６０を２本ずつ使用してそれぞれの端部をＳ端子穴１１ａ、ＳＣ端子穴１１ｂに挿入していたのでは、作業が繁雑であり、現場における取付工数、取付時間の増加を招き、ひいてはコストの増大にもつながる。
【０００５】
本発明は以上の問題点を鑑みてなされたものであり、中継器同士の連結を容易にし、取付工数、取付時間を減少させることができる中継器を提供することを目的とする。
【０００６】
【課題を解決するための手段】
上記課題を解決するため本発明は、中継器盤内に複数収められるケース本体と、該ケース本体に内装した基板からなり、該基板はリード線接続用の端子台を備えてなる中継器において、上記基板は他の中継器と直接信号を授受する信号連結部を有し、該信号連結部を他の中継器に接続してなることを特徴として構成されている。
【０００７】
また本発明は、上記基板の信号連結部は基板上の結線部と該結線部に一端が直結されたリード線からなり、該リード線の他端は他の中継器の端子台に接続される接続部を有することを特徴として構成されている。
【０００８】
また本発明は、上記リード線の接続部に棒状の差込端子を設けたことを特徴として構成されている。
【０００９】
また本発明は、上記ケース本体は上記リード線の接続部を保持可能なリード線保持部を有することを特徴として構成されている。
【００１０】
また本発明は、上記基板に設けた端子台の端子孔を外部に露出する端子開口部と上記リード線を外部に引出す線開口部を連通させて配置したことを特徴として構成されている。
【００１１】
また本発明は、上記基板の信号連結部は基板の両面に設けられた連結コネクタからなり、上記ケース本体は上記連結コネクタを外部に露出させるコネクタ開口部を有し、該コネクタ開口部から露出した連結コネクタが他の中継器の連結コネクタに接続されることを特徴として構成されている。
【００１２】
また本発明は、上記基板には固有のアドレスを記憶するメモリ部を有し、上記信号連結部とアドレス設定器とを接続して信号の授受により信号連結部を介してメモリ部にアドレスを設定することを特徴として構成されている。
【００１３】
【発明の実施の形態】
以下、本発明の実施の形態について、図面を参照しつつ詳細に説明する。まず、第一の実施形態について説明する。図１は本発明の第一の実施形態における中継器の分解図、図２は本発明の第一の実施形態における中継器をリード線によって連結した状態の上面模式図、図３は本発明の第一の実施形態における中継器の側方斜視図、図４は基板の回路ブロック図である。なお、本実施形態において、上下左右は図１に示す向きとする。
本実施形態における中継器１は、図６に示すような中継器盤４０に複数個並べて収納されるものであり、図１に示すように、中継器盤４０に収納されるケース本体３、及びこのケース本体３に内装され、端末機器と受信機との間の信号を処理するための回路が実装された基板２からなる。
【００１４】
ケース本体３に内装される基板２は略長方形状であり、その上端近傍に端子台１１が備え付けられている。この端子台１１は、基板２の回路内の信号線Ｓと導通するＳ端子穴１１ａ、基板２の回路内のコモン線ＳＣと導通するＳＣ端子穴１１ｂ、及びその他受信機、端末機器等の外部からのリード線６０を挿入する外部端子穴１１ｃ、１１ｃを有する。なお、基板２の回路は図４に示すようになっている。
【００１５】
また同じく基板２の上端近傍には、他の中継器１と直接信号を授受する信号連結部４が設けられている。本実施形態において信号連結部４は、基板２の回路内の信号線Ｓ、コモン線ＳＣとそれぞれ導通する結線部１３ａ、１３ｂと、この結線部１３ａ、１３ｂにそれぞれの一端が直結される２本のリード線１２、１２から構成される。即ち、従来、Ｓ端子穴１１ａあるいはＳＣ端子穴１１ｂに挿入していたリード線１２、１２の一端を、半田付け等により直接基板２に接続する。この結線部１３ａ、１３ｂは、端子台１１のＳ端子穴１１ａ、ＳＣ端子穴１１ｂ近傍に設けられる。即ち、本実施形態においてはＳ端子穴１１ａ、ＳＣ端子穴１１ｂが端子台１１の右側に配置されていることから、結線部１３ａ、１３ｂは端子台１１の右側に設けられる。また、リード線１２の他端の接続部１２ａには、Ｓ端子穴１１ａ、ＳＣ端子穴１１ｂの直径と略同径の棒状の差込端子１２ｂが設けられている。
ここで、基板２の形状については特に略長方形に限定されるものではなく、どのような形状でもよい。また、基板２上の結線部１３ａ、１３ｂや端子台１１の位置も、特にこれに限定されるものではなく、基板２の回路の配置や配線等の事情により、自由に変更可能である。
【００１６】
中継器１の基板２をこのような構成とすることによって、隣接する中継器１、１の信号線Ｓ、コモン線ＳＣを連結するにあたって、リード線１２の一端をＳ端子穴１１ａ、ＳＣ端子穴１１ｂに挿入する作業が不要となり、作業現場においては、図２に示すように、結線部１３ａに直結したリード線１２を他の中継器１のＳ端子穴１１ａに、結線部１３ｂに直結したリード線１２を他の中継器１のＳＣ端子穴１１ｂにそれぞれ挿入するだけでよいので、中継器１の取付け作業が容易になると共に、必要な取付工数を大幅に減少させることができる。また、リード線１２がすでに基板２に備え付けられているので、作業現場に中継器１とは別にリード線１２を持込む必要もなくなる。さらに、従来リード線１２の一端を挿入していたＳ端子穴１１ａ、ＳＣ端子穴１１ｂが必要なくなるので、端子台１１を小型にすることができ、従って中継器１を小型化することが可能となる。さらにまた、リード線１２の接続部１２ａに棒状の差込端子１２ｂを設けることにより、リード線１２のＳ端子穴１１ａ、ＳＣ端子穴１１ｂへの挿入・抜出が一層容易になる。
【００１７】
またこのような基板２を内装するケース本体３は、上方開口状で基板２を端子台１１が上方となるようにして略内包する下ケース３０と、下ケース３０の上部に取付けられる上蓋部２０から構成される。ケース本体３がこのような構成であれば、上蓋部２０は底浅であるので、基板２に直結したリード線１２を、上蓋部２０を介して外部に引出すことが容易となる。
【００１８】
この上蓋部２０には、ケース本体３に基板２を納めた際に、端子台１１を外部に露出させるための端子開口部２１が形成されている。なお、この上蓋部２０の製造段階においては、端子開口部２１の部分にはカバー片２２が形成されている。基板２の端子台１１は外部端子穴１１ｃの数によってその大きさが異なるので、端子台１１の大きさに合わせてこのカバー片２２を折って取除き、必要な大きさの端子開口部２１を形成する。上蓋部２０をこのような構成とすることにより、端子台１１の外部端子穴１１ｃの数が異なる様々な基板２に対応させることができ、端子台１１の大きさに合わせた新たな上蓋部２０を製造する必要がなくなる。
【００１９】
また上蓋部２０には、端子開口部２１に連続して、基板２のリード線１２をケース本体３の外部に引出すための線開口部２３が形成されている。線開口部２３はリード線１２の直径と略同幅でリード線１２が２本収まる大きさで、基板２の結線部１３ａ、１３ｂに対応する位置に形成されている。即ち、本実施形態においては、結線部１３ａ、１３ｂが端子台１１の右側に設けられていることから、線開口部２３も端子開口部２１の右側に形成する。
リード線１２を引出す際には、端子開口部２１と線開口部２３が互いに連通しているため、まずリード線１２を開口面積の広い端子開口部２１に通し、その後線開口部２３側にスライドさせることによって、容易に線開口部２３内にリード線１２を収納することができる。さらに、そのまま基板２をケース本体３に収納すると、端子開口部２１が端子台１１によって塞がれ、これによって線開口部２３と端子開口部２１が連続している部分も端子台１１に塞がれるので、リード線１２を線開口部２３内に閉じこめることができ、リード線１２を完全に線開口部２３内に収納することができる。またこの上蓋部２０には、後述する下ケース３０の被係合部３２と係合する係合部２４が形成されており、これによって上蓋部２０は下ケース３０に固定される。
【００２０】
下ケース３０は上方開口状で、上述の基板２を略内包できる幅、深さに形成される。また、下ケース３０内部の、基板２の端部と対向する部分には、基板２の厚さと略同じ幅の溝を有するガイド部３１が設けられており、これにより、下ケース３０内における基板２の位置決めがなされる。また、下ケース３０の上端部には、上述した係合部２４と係合する被係合部３２が形成されている。さらに、下ケース３０の下部には、中継器盤４０の底に設けられたレール４１が収まるレール収容部３３、及び中継器盤４０にねじ止め固定するためのねじ孔３４が設けられている。これによって、中継器１が中継器盤４０に収納された際の位置決め、固定がなされる。
【００２１】
さらに、下ケース３０の幅狭側の側面部３０ａには、図３に示すように、ケース本体３の外部に引出したリード線１２を保持するリード線保持部３５が設けられている。このリード線保持部３５は、下ケース３０に上述の上蓋部２０を取付けた際の線開口部２３に近い側の側面部３０ａ、即ち本実施形態においては右側の側面部３０ａに設けられる。
このリード線保持部３５により、中継器１を作業現場に運ぶ際に、リード線１２をリード線保持部３５に保持させておくことができるので、リード線１２が垂れ下がって他の機器等に絡まる心配もない。また、複数の中継器１、１をリード線１２によって連結する際に、最後の中継器１のリード線１２は接続先がなく余ってしまうが、図２に示すように、この余ったリード線１２をリード線保持部３５で保持しておくことにより、リード線１２の短絡を防ぐことができる。このリード線保持部３５は、図３に示すように、フック形状をしており、リード線１２の差込端子１２ｂを引っかけて保持させる。あるいはリード線保持部３５を、差込端子１２ｂの直径と略同径の差込穴で構成してもよい。このような構成にすれば、リード線１２の差込端子１２ｂが鞘に収められたような状態になり、運送時などに差込端子１２ｂが傷つく恐れがなくなる。
【００２２】
ここで、上述した各中継器１、１には個々の固有のアドレスＡ１、Ａ２、・・・が設定される。受信機は順番に中継器アドレスを指定してアドレスと共にコマンドを送り、アドレスの照合一致が得られた中継器１から、保有する情報を送り返させるポーリングを行う。中継器１に接続された端末機器との間でも、中継器１からのポーリングを同様にして行い、端末機器で感知した情報を中継器１で収集する。
【００２３】
このようなアドレス設定は、工場出荷の際に複数の中継器１、１にまとめて設定してもよく、あるいは現場で中継器盤４０に収納する前に設定してもよい。後者の場合には、図７に示すようなアドレス設定器５０を使用する。このアドレス設定器５０は、中継器１端末機器のアドレスを設定可能であり、端末機器にアドレスを設定する際には、設定器本体５１上部にある感知器接続部５２の嵌合金具５２ａ、５２ａに対して端末機器を回し込んで嵌合させることにより接続し、アドレス設定を行う。
一方、中継器１のアドレスを設定するときは、接続ケーブル５３を使用する。接続ケーブル５３の先端は２つに枝分かれしており、中継器１のリード線１２、１２の差込端子１２ｂ、１２ｂがそれぞれ差込まれる雌型端子５４、５４が設けられている。この雌型端子５４、５４に中継器１のリード線１２、１２の差込端子１２ｂ、１２ｂを差込んだ状態で、テンキー５５で中継器１に設定するアドレスを入力し、書込ボタン５６を押すことによって書込みが行われる。逆に、雌型端子５４、５４に中継器１のリード線１２、１２の差込端子１２ｂ、１２ｂを差込んだ状態で、読込ボタン５７を押すことによって、中継器１に設定されたアドレスを知ることもできる。
【００２４】
ここで、アドレスが書込まれる中継器１内の回路は図４のようになっており、リード線１２、１２を通ってアドレス設定器５０から入力されたアドレスは、伝送回路、ＣＰＵ２ａを介してメモリ部２ｂに書込まれる。アドレス設定器５０によって中継器１のアドレスを呼出す場合も同様に、ＣＰＵ２ａによってメモリ部２ｂからアドレスが呼出され、リード線１２、１２を介してアドレス設定器５０に送信される。なお、このメモリ部２ｂには、アドレスのほかに、端末機器から収集したデータ等が保存されている。
よって、アドレス設定器５０を中継器１のリード線１２に接続すれば、中継器１内部のメモリ部２ｂにアドレスを書き込むことができるため、特別な接続治具を別途用意することなく、また、中継器１を分解することなく、簡単にアドレス設定を行うことができる。
【００２５】
なお、本実施形態において、リード線１２を引出す線開口部２３を端子開口部２１に連続して設けているが、これに限らず、連続せずに別途にリード線引出し開口孔を設けて、その孔にリード線１２の先端を通して外部に引出す方法でも良い。また、リード線１２は基板２に直接半田付けされているが、これに限らず、コネクタを介して基板２に直接接続されていても良く、予めリード線１２が中継器１側に付いた構成であれば良い。
【００２６】
以上、本発明の第一の実施形態について説明した。上記実施形態においては、信号連結部４を結線部１３ａ、１３ｂとリード線１２、１２によって構成し、中継器１、１の信号線Ｓ、コモン線ＳＣを連結する構成とした。しかし、他の形態によっても、中継器１、１の信号線Ｓ、コモン線ＳＣを連結することは可能である。以下、本発明の第二の実施形態について説明する。図５は本発明の第二の実施形態における中継器の分解図である。
【００２７】
本実施形態における中継器１は、その概略構成は第一の実施形態の中継器１と同様であり、中継器盤４０に収納されるケース本体３、及びこのケース本体３に内装され、端末機器と受信機との間の信号を処理するための回路が実装された基板２からなる。
第一の実施形態においては、信号連結部４を、基板２の回路内の信号線Ｓ、コモン線ＳＣとそれぞれ導通する結線部１３ａ、１３ｂと、それぞれの一端を結線部１３ａ、１３ｂに直結した２本のリード線１２、１２で構成したが、本実施形態においては図５に示すように、信号連結部４を、雌型連結コネクタ１４と、この雌型結合コネクタ１４と背中合わせの位置に配置される雄型連結コネクタ１５から構成する。雌型連結コネクタ１４は、基板２内の回路の信号線Ｓ、コモン線ＳＣと導通するＳ連結穴１４ａとＳＣ連結穴１４ｂを有し、同様に雄型連結コネクタ１５は、基板２内の回路の信号線Ｓ、コモン線ＳＣと導通する棒状のＳ棒端子１５ａとＳＣ棒端子１５ｂを有する。
また、下ケース３０の幅広側の側面部３０ｂの、雌型連結コネクタ１４及び雄型連結コネクタ１５に対向する部分には、これら雌型連結コネクタ１４及び雄型連結コネクタ１５が外部に露出するようにコネクタ開口部３６、３６を形成する。
【００２８】
中継器１をこのような構成にすることにより、中継器１を中継器盤４０のレール４１上に配置し、隣接する中継器１に対してスライドさせるだけで、隣接する中継器１の雄型連結コネクタ１５と、スライドした中継器１の雌型連結コネクタ１４が接続され、あるいは逆に隣接する中継器１の雌型連結コネクタ１４と、スライドした中継器１の雄型連結コネクタ１５が接続され、これによって中継器１、１の信号線Ｓ、コモン線ＳＣが連結されるので、連結作業が非常に容易である。また、信号線Ｓ、コモン線ＳＣを連結するためのリード線１２が不要となる。なお、この雌型連結コネクタ１４、及び雄型連結コネクタ１５の位置は特に限定されるものではなく、基板２上に背中合わせに設けられていればよい。
【００２９】
中継器１をこのような構成にした場合に、アドレス設定器５０によって中継器１のアドレスを設定するには、雄型連結コネクタ１５のＳ棒端子１５ａとＳＣ棒端子１５ｂに対して、アドレス設定器５０の接続ケーブル５３の雌型端子５４、５４を差込む。これにより、中継器１とアドレス設定器５０が接続され、中継器１のアドレスの書込み、及びアドレスの呼出しが可能となる。
【００３０】
なお、本発明において中継器１の上蓋部２０やケース本体３の構成は本実施形態に限定されるものではない。端子開口部２１とリード線開口部２３は必ずしも上蓋部２０に設けなくても良い。
【００３１】
【発明の効果】
以上本発明によれば、基板は他の中継器と直接信号を授受する信号連結部を有し、該信号連結部を他の中継器に接続してなることから、リード線をそれぞれの中継器の端子台に接続する必要がなくなるので、中継器同士の連結が容易となり、また取付工数、取付時間を減少させることができる。
【００３２】
また本発明によれば、基板の信号連結部は基板上の結線部と該結線部に一端が直結されたリード線からなり、該リード線の他端は他の中継器の端子台に接続される接続部を有することから、リード線の一端を端子台に接続する作業が不要となり、またリード線を別途持ち歩く必要がなくなり、中継器の取付け作業が容易になると共に、必要な取付工数を減少させることができる。
【００３３】
また本発明によれば、リード線の接続部に棒状の差込端子を設けたことから、リード線の他の中継器の端子台への接続が容易となる。
【００３４】
また本発明によれば、ケース本体はリード線の接続部を保持可能なリード線保持部を有することから、中継器を作業現場に運ぶ際に、リード線をリード線保持部に保持させることにより、リード線が垂れ下がって他の機器等に絡まったりするのを防ぐことができる。また、余ったリード線をリード線保持部で保持しておくことができ、リード線の短絡を防ぐことができる。
【００３５】
また本発明によれば、基板に設けた端子台の端子孔を外部に露出する端子開口部とリード線を外部に引出す線開口部を連通させて配置したことから、リード線を開口面積の広い端子開口部に通し、その後線開口部側にスライドさせることによって、容易に線開口部内にリード線を収納することができる。また、基板をケース本体に収納すると、端子開口部が端子台によって塞がれ、これによって線開口部と端子開口部が連続している部分も端子台に塞がれるので、リード線を線開口部内に閉じこめることができ、リード線を完全に線開口部内に収納することができる。
【００３６】
また本発明によれば、基板の信号連結部は基板の両面に設けられた連結コネクタからなり、ケース本体は連結コネクタを外部に露出させるコネクタ開口部を有し、該コネクタ開口部から露出した連結コネクタが他の中継器の連結コネクタに接続されることから、中継器盤に収納した状態で、隣接する中継器に対してスライドさせるだけで、連結コネクタ同士が接続され、これによって中継器の連結が行われるので、連結作業が非常に容易となると共に、必要な取付工数を大幅に減少させることができる。また、リード線が不要となる。
【００３７】
また本発明によれば、基板には固有のアドレスを記憶するメモリ部を有し、信号連結部とアドレス設定器とを接続して信号の授受により信号連結部を介してメモリ部にアドレスを設定することから、特別な接続治具を別途用意することなく、また、中継器を分解することなく、簡単にアドレス設定を行うことができる。
【図面の簡単な説明】
【図１】本発明の第一の実施形態における中継器の分解図である。
【図２】本発明の第一の実施形態における中継器をリード線によって連結した状態の上面模式図である。
【図３】本発明の第一の実施形態における中継器の側方斜視図である。
【図４】基板の回路ブロック図である。
【図５】本発明の第二の実施形態における中継器の分解図である。
【図６】中継器盤の正面図である。
【図７】アドレス設定器の斜視図である。
【図８】従来の中継器をリード線によって連結した状態の上面模式図である。
【符号の説明】
１    中継器
２    基板
３    ケース本体
４    信号連結部
１１    端子台
１１ａ  Ｓ端子穴
１１ｂ  ＳＣ端子穴
１１ｃ  外部端子穴
１２    リード線
１２ａ  接続部
１２ｂ  差込端子
１３ａ、１３ｂ  結線部
１４    雌型連結コネクタ
１４ａ  Ｓ連結穴
１４ｂ  ＳＣ連結穴
１５    雄型連結コネクタ
１５ａ  Ｓ棒端子
１５ｂ  ＳＣ棒端子
２０    上蓋部
２１    端子開口部
２２    カバー片
２３    線開口部
３０    下ケース
３５    リード線保持部
３６    コネクタ開口部
４０    中継器盤
５０    アドレス設定器
【図１】
2004252625.tif 000003
【図２】
2004252625.tif 000004
【図３】
2004252625.tif 000005
【図４】
2004252625.tif 000006
【図５】
2004252625.tif 000007
【図６】
2004252625.tif 000008
【図７】
2004252625.tif 000009
【図８】
2004252625.tif 000010